(57)【要約】【課題】前傾式扉に取り付けられた部品とホースとの接触を防止できると共に引き出し力を緩和して円滑なホース引出しができる消火栓装置を得る。【解決手段】本発明に係る消火栓装置１は、ホース３を収納するホース収納部５を備えた本体７と、本体７の前面に配設されると共にホース３を引き出すための開口部９ａを有する前面パネル９と、前面パネル９の開口部９ａに開閉可能に設けられ、下辺を回動可能に支持された前傾式扉１１と、前傾式扉１１の内面側に設けられて本体７の外部又は内部に設けられた消火栓弁を、ケーブル１３を介して開閉操作する操作レバー１５とを備えた消火栓装置１であって、前傾式扉１１の内面側であって、前記下辺の回動軸の近傍に前傾式扉１１の内面に立設され、開口部９ａの幅方向に延びる辺部１７ａを有し、ホース引出し時にホース３が辺部１７ａに当接するように構成されたホースガード１７を有することを特徴とするものである。【選択図】  図１
2019013408.tif 000002
【特許請求の範囲】
【請求項１】
ホースを収納するホース収納部を備えた本体と、該本体の前面に配設されると共に前記ホースを引き出すための開口部を有する前面パネルと、該前面パネルの開口部に開閉可能に設けられ、下辺を回動可能に支持された前傾式扉と、該前傾式扉の内面側に設けられて前記本体の外部又は内部に設けられた消火栓弁を、ケーブルを介して開閉操作する操作レバーとを備えた消火栓装置であって、
前記前傾式扉の内面側であって、前記下辺の回動軸の近傍に前記前傾式扉の内面に立設され、前記開口部の幅方向に延びる辺部を有し、ホース引出し時にホースが前記辺部に当接するように構成されたホースガードを有し、
該ホースガードの前記辺部は、ホース引出し時に前記ホースに当接して該ホースをガードすることで、前記前傾式扉の内面側に設けられた部品に前記ホースが干渉しない高さに設定されていることを特徴とする消火栓装置。
【請求項２】
前記ホースガードは板状体からなり、前記操作レバーに至る前記ケーブルが挿通される切欠き又は穴部を有することを特徴とする請求項１記載の消火栓装置。
【請求項３】
前記ホースガードは、棒状体をコ字形状に屈曲形成されたものであり、前記辺部と前記前傾式扉との間に開口部が形成されていることを特徴とする請求項１記載の消火栓装置。
【請求項４】
前記ホースガードの辺部における前記ホースと接触する部位が円弧状になっていることを特徴とする請求項１乃至３のいずれか一項に記載の消火栓装置。
【請求項５】
前記操作レバーの基部に設けられたプーリーを覆うプーリーカバーを有し、該プーリーカバーが前記前傾式扉における前記ホースガード取付位置の近傍まで延出して設けられ、該プーリーカバーによって前記ケーブルが覆われていることを特徴とする請求項１乃至４のいずれか一項に記載の消火栓装置。
【発明の詳細な説明】
【技術分野】
【０００１】
本発明は、トンネル等に設置される消火栓装置に関する。
【背景技術】
【０００２】
例えば特許文献１には、本体を構成する前面パネルに９０度前方に回動して開扉する前傾式扉を設け、該前傾式扉にホースガイドを取り付けて、前記前傾式扉を開扉した状態でホースを引き出すようにした消火栓装置が開示されている。
そして、前傾式扉の内面側には、前記本体の外部に設けられた消火栓弁を、ケーブルを介して開閉操作する操作レバーが取り付けられており、ホースの引き出し時に操作レバーとホースとの接触を防止するための保護カバーが設けられている。
【先行技術文献】
【特許文献】
【０００３】
【特許文献１】特開２００８−４８２号公報
【発明の概要】
【発明が解決しようとする課題】
【０００４】
特許文献１では、ホースガイドを設けることでホース引出し時におけるホースの経路を規制し、規制したとしてもホースに接触する可能性のある操作レバーに保護カバーを設けるようにしている。
一方で、カバーすることができないノズルホルダについては、上述したようにホースガイドによってホースが通過する経路を規制してホース引出し時にノズルホルダの近くをホースが通過しないようにすることでホースとの接触を防止している。
【０００５】
しかし、前傾式扉が１８０度回動する場合には、ホースガイドを前傾式扉に設けることができず、この場合には保護カバーを設けた操作レバーとホースの接触は防止できるが、他の部品、例えばホースノズルを保持するノズルホルダ等との接触を防止することができない。
また、ホースガイドはホースの経路を規制するものであるため、ホース引出し時にホースが屈曲して当接することにより、摩擦力が発生して大きな引き出し力が必要となっている。
【０００６】
本発明はかかる課題を解決するためになされたものであり、前傾式扉に取り付けられた部品とホースとの接触を防止できると共に引き出し力を緩和して円滑なホース引出しができる消火栓装置を得ることを目的としている。
【課題を解決するための手段】
【０００７】
（１）本発明に係る消火栓装置は、ホースを収納するホース収納部を備えた本体と、該本体の前面に配設されると共に前記ホースを引き出すための開口部を有する前面パネルと、該前面パネルの開口部に開閉可能に設けられ、下辺を回動可能に支持された前傾式扉と、該前傾式扉の内面側に設けられて前記本体の外部又は内部に設けられた消火栓弁を、ケーブルを介して開閉操作する操作レバーとを備えたものであって、
前記前傾式扉の内面側であって、前記下辺の回動軸の近傍に前記前傾式扉の内面に立設され、前記開口部の幅方向に延びる辺部を有し、ホース引出し時にホースが前記辺部に当接するように構成されたホースガードを有し、
該ホースガードの前記辺部は、ホース引出し時に前記ホースに当接して該ホースをガードすることで、前記前傾式扉の内面側に設けられた部品に前記ホースが干渉しない高さに設定されていることを特徴とするものである。
【０００８】
（２）また、上記（１）に記載のものにおいて、前記ホースガードは板状体からなり、前記操作レバーに至る前記ケーブルが挿通される切欠き又は穴部を有することを特徴とするものである。
【０００９】
（３）また、上記（１）に記載のものにおいて、前記ホースガードは、棒状体をコ字形状に屈曲形成されたものであり、前記辺部と前記前傾式扉との間に開口部が形成されていることを特徴とするものである。
【００１０】
（４）また、上記（１）乃至（３）のいずれかに記載のものにおいて、前記ホースガードの辺部における前記ホースと接触する部位が円弧状になっていることを特徴とするものである。
【００１１】
（５）また、上記（１）乃至（４）のいずれかに記載のものにおいて、前記操作レバーの基部に設けられたプーリーを覆うプーリーカバーを有し、該プーリーカバーが前記前傾式扉における前記ホースガード取付位置の近傍まで延出して設けられ、該プーリーカバーによって前記ケーブルが覆われていることを特徴とするものである。
【発明の効果】
【００１２】
本発明に係る消火栓装置においては、前傾式扉の内面側であって、前傾式扉の下辺の回動軸の近傍に前記前傾式扉の内面に立設され、前記開口部の幅方向に延びる辺部を有し、ホース引出しにホースが前記辺部に当接するように構成されたホースガードを有し、該ホースガードの前記辺部は、ホース引出し時に前記ホースに当接して該ホースをガードすることで、前記前傾式扉の内面側に設けられた部品に前記ホースが干渉しない高さに設定されていることにより、前傾式扉に取り付けられた部品とホースとの接触を防止できると共に引き出し力を緩和して円滑なホース引出しができる。
【図面の簡単な説明】
【００１３】
【図１】本発明の実施の形態に係る消火栓装置の開扉状態の正面図である。
【図２】図１に示した消火栓装置の開扉状態の側面図である。
【図３】図１に示した消火栓装置の開扉状態の斜視図である。
【図４】本発明の実施の形態に係る消火栓装置の他の態様の開扉状態の斜視図である。
【発明を実施するための形態】
【００１４】
本実施の形態に係る消火栓装置１は、図１〜図３に示すように、ホース３を収納するホース収納部５を備えた本体７と、本体７の前面に配設されると共にホース３を引き出すための開口部９ａを有する前面パネル９と、前面パネル９の開口部９ａに開閉可能に設けられ、下辺を回動可能に支持された前傾式扉１１と、前傾式扉１１の内面側に設けられて本体７の外部又は内部に設けられた消火栓弁（図示なし）を、ケーブル１３を介して開閉操作する操作レバー１５と、前傾式扉１１の内面側であって、下辺の回動軸の近傍に前傾式扉１１の内面に立設され、開口部９ａの幅方向に延びる辺部１７ａを有し、ホース引出し時にホース３が辺部１７ａに当接するように構成されたホースガード１７とを備えたものである。
以下、各構成を詳細に説明する。
【００１５】
＜本体＞
本体７は、図１〜図３に示すように、矩形の箱状からなり、本体７内には内巻きに巻き回されたホース３を収納するホース収納部５を有し、ホース収納部５には収納されたホース３を引き出すための中央開口部１９が設けられている。
ホース収納部５の具体的な形状は図示していないが、例えば本体７の内壁上面から内壁下面に至る２本の棒状体と、棒状体から本体７の内壁背面に至る略Ｌ字状に屈曲した２枚の帯板とを備えて構成される。
また、図１に示すように、本体７の図中左側には、消火器２１を収納するための消火器収納部２３が設けられている。
【００１６】
＜前面パネル＞
前面パネル９は、本体７の前面に設けられ、中央開口部１９の前方に位置する部位が開口しており、この開口部９ａを開閉可能に前傾式扉１１が取り付けられ、また前面パネル９の左側には消火器扉２５が開閉可能に設けられている。
【００１７】
＜前傾式扉＞
前傾式扉１１は板状の金属板から構成された横長の矩形状をしており、上述のように前面パネル９の開口部９ａを開閉可能に取り付けられている。
前傾式扉１１は、閉鎖状態において下辺（以下、この部分を前傾式扉１１の下辺と呼ぶ）両端付近に回動軸（蝶番２７）が設けられ、開口部９ａを閉鎖状態から、図１、図２に示すように、略１８０°開くことができる。
【００１８】
前傾式扉１１の内面側には、消火ノズル２９を着脱可能に保持するノズルホルダ３１及び、消火栓弁を開閉操作する操作レバー１５が設けられている。
操作レバー１５と図示しない消火栓弁との間は、ケーブル１３を介して連結されている。
そして、操作レバー１５とケーブル１３とは、図１、図２に示すように、プーリー３３を介して連結されており、プーリー３３はプーリーカバー３５によって覆われている。
プーリーカバー３５は前傾式扉１１におけるホースガード１７の取付位置近傍まで延出して設けられ、プーリーカバー３５によってケーブル１３が覆われている。これによって、ケーブル１３が外部に露出する部分が少なくなり、ケーブル１３とホース３との干渉をより防止することができる。
【００１９】
＜ホースガード＞
ホースガード１７は、前傾式扉１１の内面側であって、下辺の回動軸の近傍に立設され、開口部９ａの幅方向に延びる辺部１７ａを有し、ホース引出し時にホース３が当接する辺部１７ａを有する板状体によって構成されている。ホースガード１７は、平板の周縁を直角に屈曲した断面Ｌ字状の板状体からなり、これによって軽量化と高剛性の両方を実現している。
ホースガード１７の辺部１７ａは、ホース引出し時にホース３に当接してホース３をガードすることで、前傾式扉１１の内面側に設けられた部品（操作レバー１５、ノズルホルダ３１、プーリーカバー３５）にホース３が干渉しない高さに設定されている。
【００２０】
辺部１７ａの高さは、前傾式扉１１の内面側に設けられる部品の高さや、部品の位置によって適宜変更可能であるが、要するに上述のように、引き出されるホース３と前記部品との干渉を避けるように機能すればよい。
なお、辺部１７ａの高さの決め方の具体例としては、図２に示すように前傾式扉１１を開扉した状態で、蝶番２７の頂点と辺部１７ａの頂点を結ぶ仮想線Ｌを引いたときに、前記部品が仮想線Ｌの下方に位置するようにすることが挙げられる。
【００２１】
ホースガード１７の幅方向の中程には、ケーブル１３を通過させるための切欠き部１７ｂが設けられている。プーリーカバー３５から出たケーブル１３は切欠き部１７ｂを通過して本体内部、あるいは後述するケーブル収納筒３７に挿入される。
【００２２】
なお、ホースガード１７の辺部１７ａにおけるホース３と接触する部位が円弧状になっていることが好ましい。円弧状にすることで、ホース引出し時にホース３との摩擦を少なくしてホース３を円滑に引き出すことができる。
【００２３】
さらに、辺部１７ａの幅方向の長さは、前傾式扉１１の幅とほぼ同じで、両端部分が欠けたとしても、９割程度の長さを有することが好ましい。これによって、ホース引出し時において、ホース３をいずれの方向に引き出したとしても、ホース３は屈曲することなく辺部１７ａによって引き出し方向にガイドされて円滑な引出しが可能となる。
【００２４】
なお、本実施の形態では、図１に示すように、前傾式扉１１の下辺の両端部に設けられた蝶番２７の間に設けられて、操作レバー１５と消火栓弁を連結するケーブル１３を収納するケーブル収納筒３７が設けられている。
ケーブル収納筒３７は蝶番２７の間に配置され、ケーブル収納筒３７は前傾式扉１１の回動軸の軸線が通る位置に設けられている。ここで、前傾式扉１１の回動軸の軸線が通る位置とは、ケーブル収納筒３７をある位置に配置したときにケーブル収納筒３７内を回動軸の軸線が通過する状態になる位置のことを意味する。
ケーブル収納筒３７を設けることで、ケーブル１３とホース３との干渉をより防止することができる。
【００２５】
上記のように構成された本実施の形態の消火栓装置１においては、消火活動の際に前傾式扉１１を開扉すると、図３に示すように、ホースガード１７が水平方向に張出すようになり、ホース３はホースガード１７の辺部１７ａに支持される。この状態で、ノズルホルダ３１から消火ノズル２９を取り外して操作レバー１５を操作するが、ホース３は常に辺部１７ａで支持されるため、操作レバー１５がホース３と干渉することはなく円滑な操作を行うことができる。
ホース３を引き出す際には、ホース３は辺部１７ａに支持されているため、いずれの方向に引き出しても前傾式扉１１の内面側に取り付けられている例えばノズルホルダ３１等の部品と干渉することはない。
【００２６】
以上のように、本実施の形態によれば、前傾式扉１１に取り付けられた部品とホース３との接触を防止できると共に引き出し力を緩和して円滑なホース引出しができる。
【００２７】
なお、上記の実施の形態のホースガード１７は、板状体で構成したものであったが、本発明のホースガード１７はこれに限られるものではなく、図４に示すように、棒状体をコ字形状に屈曲形成され、辺部１７ａと前傾式扉１１との間に開口１７ｃが形成されたものでもよい。棒状体として丸棒を用いれば辺部１７ａにおけるホース３と接触する部位が円弧状になるので好ましい。
また、ホースガード１７は、前傾式扉１１と別体でもよいが、前傾式扉１１における開扉状態で上辺側となる部位を加工した前傾式扉１１と一体となったものであってもよい。
【００２８】
なお、上記の実施の形態では前傾式扉１１が全開状態で１８０°開くものであったが、本発明の消火栓装置１における前傾式扉１１はこれに限られるものではなく、全開時の回動角度に制限はなく、例えば前傾式扉１１が前面パネル９の下部に取り付けられ、全開時に９０°開くようなものであってもよい。
【符号の説明】
【００２９】
１  消火栓装置
３  ホース
５  ホース収納部
７  本体
９  前面パネル
９ａ  開口部
１１  前傾式扉
１３  ケーブル
１５  操作レバー
１７  ホースガード
１７ａ  辺部
１７ｂ  切欠き部
１７ｃ  開口
１９  中央開口部
２１  消火器
２３  消火器収納部
２５  消火器扉
２７  蝶番
２９  消火ノズル
３１  ノズルホルダ
３３  プーリー
３５  プーリーカバー
３７  ケーブル収納筒
【図１】
2019013408.tif 000003
【図２】
2019013408.tif 000004
【図３】
2019013408.tif 000005
【図４】
2019013408.tif 000006